(57)【特許請求の範囲】
【請求項１】
外壁面材の背面側に、取付け用の複数本のレール材が、縦向きで、左右方向に間隔をおくようにして、外壁面材を貫通することなく一体的に取り付けられると共に、各レール材に、鉤部と鉤受け部のうちの一方が複数、レール材の長手方向に間隔をおくようにして設けられ、
外壁面材の取り付けられる相手側に、前記外壁面材側のレール材に対応する取付け用の複数本のレール材が、縦向きで、左右方向に間隔をおくようにして一体的に取り付けられると共に、各レール材に、前記外壁面材側のレール材における鉤部と鉤受け部のうちの一方に対応するもう一方が、複数、レール材の長手方向に間隔をおくようにして備えられ、
外壁面材は、これを相手側に寄せて下端側に変位させることによって各鉤部と各鉤受け部とが掛合し、少なくとも、相手側から離れる方向への変位と下方への変位とが規制された状態にされ、かつ、
前記外壁面材の各レール材の一端が外壁面材の縁から外方に突出し、このレール突出部が外壁面材の正面側からの止付けで相手側に止め付けられて、上方への外壁面材の変位が規制された状態にされていることを特徴とする外壁面材の取付け構造。
【発明の詳細な説明】
【０００１】
【発明の属する技術分野】
本発明は、外壁面材の取付け構造に関する。
【０００２】
【従来の技術及び課題】
住宅等の建物において、窯業系などの外壁面材の取付けを、外壁面材の正面側、即ち外面側からの取付けによって行う方法として、従来より、外壁面材の外面側からビスや釘を打つ方法が知られているが、この方法では、ビス頭や釘頭が外に露出し、外観を損ねてしまうことから、図６（イ）（ロ）に示すように、外壁面材５１の外面側に座掘り部５２を設け、この座掘り部５２内においてビス５３を打つことでビス頭を座掘り部５２内に配置し、そして、この座掘り部５２をパテ５４で埋めてビス頭を隠すという方法が採られている。なお、５５は下地、５６はパネルフレームである。
【０００３】
しかしながら、このパテ埋め法を用いた取付け方法によっても、パテ処理の跡を完全には消し去ることは難しく、外観を損なわせるおそれがある。また、外壁面材の取付けの後にパテ埋め処理やタッチアップ処理をしなければならないため、施工に手間を要するという問題もあった。
【０００４】
更に、上記のいずれの方法による取付けにおいても、外壁面材５１を正面側から貫通して取り付けるものであるため、ビス５３と直交する方向の力が外壁面材５１にかかることによって、外壁面材５１に割れなどの損傷を生じさせてしまうおそれがあった。
【０００５】
そこで、Ｚ形のプレート金物を用いて外壁面材をその外面側から取り付ける方法も提供されているが、この金物による取付けは、外壁面材の縁部においてのみ行えるものであり、大型の外壁面材を取り付けるのに用いると、金物による外壁面材の保持力が不足し、しっかりとした取付け状態を得えられない場合があるという問題があった。
【０００６】
また、いずれの取付け方法においても、外壁面材は、一旦取り付けると、将来的に取り外すのが難しく、割れ等の損傷発生時の外壁面材の交換や、外壁面材のリニューアルが非常に難しいという問題もあった。
【０００７】
本発明は、上記のような従来の問題点に鑑み、外壁面材をその外面側からのアクセスで取り付けることができ、しかも、取り付けた状態において外壁面材の外観を損なわせることがないと共に、割れなどの損傷を生じさせるおそれを低くすることができ、加えて、外壁面材が大型のものであってもそれを脱落しないしっかりとした取付け状態にすることができ、更に外壁面材の事後的な取外しも施工容易に行うことができる、外壁面材の取付け構造を提供することを課題とする。
【０００８】
【課題を解決するための手段】
上記の課題は、外壁面材の背面側に、鉤部と鉤受け部のうちの一方を備えた取付け用のレール材が外壁面材を貫通することなく一体的に備えられ、このレール材の取付けによって外壁面材の背面側の面内に鉤部と鉤受け部のうちの前記一方が分散状態に備えられ、
外壁面材の取り付けられる相手側に、前記鉤部と鉤受け部のうちのもう一方が備えられ、
外壁面材が、これを相手側に寄せて下端側に変位させることによって鉤部と鉤受け部とを掛合させ、この掛合により、少なくとも、相手側から離れる方向への変位と下方への変位とを規制した状態にすることで、相手側に取り付けられていることを特徴とする外壁面材の取付け構造によって解決される。
【０００９】
この取付け構造では、外壁面材の背面に鉤部と鉤受け部のうちの一方が備えられ、それに対応して相手側には鉤部と鉤受け部のうちのもう一方が備えられているので、外壁面材の取付けは、この外壁面材を相手側に寄せて下端側に変位させて鉤部と鉤受け部とを掛合状態にすればよく、外壁面材をその外面側からのアクセスで取り付けることができる。
【００１０】
しかも、外壁面材の背面側に備えられるレールは、外壁面材の背面側に該面材を貫通することなく取り付けられているから、相手側への外壁面材の取付け状態において、外壁面材の外観を損なわせることがないと共に、割れなどの損傷を生じさせるおそれも低くすることができる。
【００１１】
加えて、レール材は外壁面材の背面側に備えられているから、外壁面材が大型のものであっても、外壁面材の背面側においてレールの本数を増やしたり、鉤部や鉤受け部の数を増やしたりすることで、外壁面材を相手側に脱落しないしっかりとした取付け状態に取り付けることができる。
【００１２】
更に、取付け後の外壁面材の取外しは、これを屋外側から上昇変位させ、手前側に引くことにより達せられ、外壁面材の事後的な取外しも施工容易に行うことができる。
【００１３】
また、１本のレール材に複数の鉤部や鉤受け部を備えさせるようにする場合は、鉤部や鉤受け部を一つ一つ外壁面材の背面側に備えさせる場合に比べて、鉤部や鉤受け部を外壁面材の背面側に数多く能率良くかつ狂いなく備えさせることができ、しかも、このようなレール材を用いることで、面板材を用いる場合に比べて、部品の嵩張りを小さくすることができて部品の取扱いを便利に行うことができる。
【００１４】
上記の取付け構造において、相手側に、鉤部と鉤受け部のうちの前記もう一方を備えた取付け用のレール材が一体的に備えられ、このレール材の取付けによって相手側に鉤部と鉤受け部のうちの前記もう一方が分散状態に備えられているとよい。この構造では、外壁面材においてレール材を用いる場合と同じ効果を得ることができ、１本のレール材に複数の鉤部や鉤受け部を備えさせるようにする場合において、鉤部や鉤受け部を一つ一つ相手側に備えさせる場合に比べて、鉤部や鉤受け部を相手側に数多く能率良くかつ狂いなく備えさせることができ、しかも、このようなレール材を用いることで、面板材を用いる場合に比べて、部品の嵩張りを小さくすることができて部品の取扱いを便利に行うことができる。
【００１５】
また、上記の取付け構造において、外壁面材のレールの一端が外壁面材の縁から外方に突出し、このレール突出部が外壁面材の正面側からの止付けで相手側に止め付けられているとよい。この場合は、鉤部と鉤受け部との掛合による取付け構造でありながら、相手側へのレール突出部の止付けによって外壁面材が相手側に対して上昇変位してズレ動いてしまうのを防ぐことができ、ひいては、相手側からの外壁面材の不本意な脱落を確実に防ぐことができる。
【００１６】
しかも、レール突出部を相手側に止め付ける構造であるから、このレール突出部を外壁面材の外面側からのアクセスで止め付けすることができ、また、外壁面材の事後的な取外しの際にも、レール突出部の止付けを屋外側からのアクセスで解除することができて、外壁面材の交換を容易に行うことができる。
【００１７】
更に、この突出部は、レール材に備えられているから、部品点数少なく備えさせることができる。
【００１８】
【発明の実施の形態】
次に、本発明の実施形態を図面に基づいて説明する。
【００１９】
図１乃至図４に示す第１実施形態の取付け構造は、外壁パネル１に適用したものであり、この外壁パネル１において、２は窯業系などからなる外壁面材、３はパネルフレーム、４は発泡系の板状断熱材であり、外壁パネル１は、外壁面材２が発泡系断熱材４を介してパネルフレーム３に取り付けられた構造となっている。即ち、本実施形態では、パネルフレーム３と発泡系断熱材４とが、外壁面材２を取り付ける相手側５となる。
【００２０】
この外壁パネル１において、外壁面材２を相手側５に取り付けるため、外壁面材２の背面側には、図１及び図２（イ）に示すように、３本の取付け用レール材６…が、左右方向に間隔をおいて左右と中央の三箇所に、外壁面材２の上端から下端までを上下方向に延ばされて取り付けられている。
【００２１】
各取付け用レール材６の取付けは、図２（イ）及び図３（イ）に示すように、このレール材６が鋼製のリップ６ｃ付きＬ形材からなっていて、その一方の辺の板部６ａが外壁面材２の背面側に沿わされ、外壁面材２の背面側においてこの板部６ａにビス８…を打つことで行われている。
【００２２】
各ビス８…の長さ寸法は、外壁面材２を貫通することがないよう寸法に設定されていて、ビス８…の本数を設定することにより、レール材６を外壁面材２に対してしっかりと取り付けることができるようになされている。これにより、外壁面材２の外面側にビス８…の先端部が突出して外壁面材２の外観を損なわせてしまうというようなことはないし、また、ビス８…が外壁面材２を貫通することはないから、外壁面材２に割れ等の損傷を生じさせるおそれも低い。
【００２３】
そして、上記の各レール材６において、リップ板部６ｃは、もう一方の辺の板部６ｂによって外壁面材２の背面から離間し、図３（イ）に示すように、このリップ板部６ｃの面内において前記もう一方の辺の板部６ｂに対する付け根部分には、上下方向に延びるスリット状の鉤受け部９…が４つ、上下方向に間隔をおくようにして備えられている。こうして、外壁面材２の背面側には、３本の取付け用レール材６…を外壁面材２の背面側に取り付けることで、取付け用の鉤受け部９…が面内分散状態に備えられている。
【００２４】
また、外壁面材２の取り付けられる相手側５には、上記の外壁面材２の側の鉤受け部９…に対応する鉤部１０…が備えられている。本実施形態では、これらの鉤部１０…も、レール材７…を用いて相手側５に備えられている。
【００２５】
即ち、図１及び図２（ロ）に示すように、相手側５の発泡系断熱材４の面内に３本のレール材７…が、左右方向に間隔をおいて左右と中央の三箇所に、相手側５の上端から下端までを上下方向に延ばされて取り付けられている。
【００２６】
各取付け用レール材７の取付けは、図２（ロ）に示すように、このレール材７が帯状板からなっていて、これが発泡系断熱材４の面に沿わされ、レール材７の側から発泡系断熱材４を貫通してパネルフレーム３にビス打ち８…をすることで行われている。
【００２７】
そして、上記の各レール材７において、図３（ロ）に示すように、その幅方向の一側に鉤部１０…が４つ、上下方向に間隔をおき、外壁面材２の側のレール材の鉤受け部９…に対応する配置関係となるように一体成形で備えられている。
【００２８】
各鉤部１０は、Ｌ形をしていて、図４（イ）（ロ）に示すように、その立ち上がり辺部１０ａを鉤受け部スリット９を通じてそれより奥方に差し込むことができるようになっている。この差し込んだ状態において、鉤部１０を上方、鉤受け部９を下方に相対変位させることにより、鉤部１０の突出辺部１０ｂの上縁が鉤受け部スリット９内の上端に当接し、鉤部１０の立ち上がり辺部１０ａが、鉤受け部スリット９内の上端高さ位置よりも上方に突出した状態となって、掛合状態を得られる。そして、この掛合によって、外壁面材２が相手側５から離れる方向に変位することと、外壁面材２が相手側５に対して下方に変位することとが規制されるようになされている。なお、１１は斜面で、Ｌ形鉤部１０の立ち上がり辺部１０ａを鉤受け部スリット９に差し込みやすくするものである。
【００２９】
そして、外壁面材２の側に取り付けられるレール材６のリップ板部６ｃは、図４（イ）（ロ）に示すように、その上端部が上方に突出６ｄしており、上記の掛合状態において、このリップ板部の突出部６ｄを相手側５、本実施形態では、相手側５のレール材７にビス止めで止め付けることができるようになされている。６ｅ，７ｅはそのためのビス孔である。この止付けにより、外壁面材２が相手側５に対して上方に変位しようとしても変位することができず、それによって、鉤部１０と鉤受け部９との掛合が不本意に解除されてしまうのを防ぐことができるようになされている。
【００３０】
このリップ板部６ｃの突出部６ｄは、外壁面材２の上縁部よりも上方に突出するように備えられており、この突出部６ｄの止付けを外壁面材２の側から正面側から行うことができるようになされている。
【００３１】
上記の外壁面材２は、その背面側を、相手側５である発泡系断熱材４の側に寄せていくことで、すべての鉤部１０…を、対応する鉤受け部９…の内方に差し込んだ状態にし、しかる後、外壁面材２を相手側５に対して下方に変位させて鉤部１０と鉤受け部９とを掛合状態にすることによって相手側５に取り付けられる。そして、この取付け状態において、リップ板部６ｃの突出部６ｄを相手側５にビス止めなどで止め付ける。これにより、外壁面材２は相手側５から脱落不能状態に取り付けられる。
【００３２】
このように上記の取付け構造によれば、外壁面材２の取付けは、この外壁面材２を相手側５に寄せて下方に変位させて鉤部１０…と鉤受け部９…とを掛合状態にすればよく、従って、外壁面材２をその外面側からのアクセスで相手側５に取り付けることができる。
【００３３】
また、この外壁パネル１の建方を現場で行った後、何らかの理由によって外壁面材２の交換を行わなければならない場合は、屋外側において、リップ板部６ｃの突出部のビスを抜き、外壁面材２を上方に変位させた後、屋外側に引けば、外壁面材２を取り外すことができ、また、外壁面材の取付けは、上記の場合と同様の要領で行うことができ、外壁面材２の事後的な交換を屋外側から容易に行うことができる。
【００３４】
図５（イ）に示す第２実施形態の取付け構造は、外壁面材２がコンクリート系などの厚物中空面材からなっていて、中空部１ａに下地プレート１２が設置され、レール材６が外壁面材２の背面側においてこの下地プレート１２に対してビス８で取り付けられている。もちろん、ビス８は外壁面材２を貫通しないように打たれている。このように下地プレート１２を用いることで、レール材６を外壁面材２に対して強固に取り付けることができる。
【００３５】
図５（ロ−１）（ロ−２）に示す第３実施形態の取付け構造は、レール材７に備えられる鉤部１０の形状がＴ形をしており、レール材７を上下反転させても使用することができるようになされており、これにより、取付けに使用する部品の種類を少なくすることができる。なお、レール材６についてもこれを上下反転させても使用することができるようになされていてもよい。
【００３６】
以上に、本発明の実施形態を示したが、本発明はこれに限られるものではなく、発明思想を逸脱しない範囲で、各種の変更が可能である。例えば、上記の実施形態では、相手側５の側に鉤部１０…を、外壁面材２の側に鉤受け部９…を備えさせた場合を示しているが、相手側５の側に鉤受け部９…を、外壁面材２の側に鉤部１０…を備えさせるようにしてもよい。また、上記の実施形態では、外壁面材２の側にも、相手側５にも、レール材６…，７…を用いて鉤部１０…や鉤受け部９…を備えさせた場合を示しているが、外壁面材２の側にのみレール材を備えさせ、相手側にはレール材を備えさせない構成とされていてもよい。また、上記の実施形態では、外壁パネル１における発泡系断熱材４やパネルフレーム３の側を相手側とした場合について示しているが、パネル式によらない外壁構造において、現場での外壁面材の取付けに本発明の取付け構造を採用するようにしてもよい。また、上記の実施形態では、レール材６，７を縦向きにして備えさせる場合を示しているが、横向きにして備えさせるようにしてもよい。特に横向きにする場合には、レール材の長手方向に略全長にわたる一つの鉤部あるいは鉤受け部を備えさせ、このレール材を上下方向に間隔的に備えさせるというような構成を採用するようにしてもよい。
【００３７】
【発明の効果】
本発明は、以上のとおりのものであるから、外壁面材をその外面側からのアクセスで取り付けることができ、しかも、取り付けた状態において外壁面材の外観を損なわせることがないと共に、割れなどの損傷を生じさせるおそれを低くすることができ、加えて、外壁面材が大型のものであってもそれを脱落しないしっかりとした取付け状態にすることができ、更に外壁面材の事後的な取外しも施工容易に行うことができる。
【図面の簡単な説明】
【図１】第１実施形態の取付け構造を示すもので、外壁面材と取付けの相手側とを分離状態で示す斜視図である。
【図２】図（イ）は外壁面材の平面図、図（ロ）は相手側の平面図である。
【図３】図（イ）は外壁面材の側のレール材の斜視図、図（ロ）は相手側のレール材の斜視図である。
【図４】図（イ）は両レール材を分離状態にして示す要部拡大斜視図、図（ロ）は掛合状態の一部切欠き要部拡大斜視図である。
【図５】図（イ）は第２実施形態における外壁面材を示す平面図、図（ロ−１）（ロ−２）は第３実施形態を示すもので、図（ロ−１）は鉤部の斜視図、図（ロ−２）は外壁面材と相手側とを分離状態にして示す斜視図である。
【図６】従来の取付け構造を示すもので、図（イ）は外壁面材と相手側とを分離状態にして示す斜視図、図（ロ）は平面断面図である。
【符号の説明】
２…外壁面材
５…相手側
６…レール材
６ｄ…突出部
７…レール材
９…鉤受け部
１０…鉤部
【図１】
0003986865.tif 000002
【図２】
0003986865.tif 000003
【図３】
0003986865.tif 000004
【図４】
0003986865.tif 000005
【図５】
0003986865.tif 000006
【図６】
0003986865.tif 000007